(57)【要約】      （修正有）【課題】一体型自撮り棒を提供する。【解決手段】長筒状のハンドルケース本体４０と、ハンドルケース本体の中に固定した伸縮棒３０と、伸縮棒に対して折りたためるクリップ装置１０と、伸縮棒の可動端とクリップ装置とを連結するための折り畳み装置２０と、ハンドルケース本体の内壁と伸縮棒の外壁との間に配置したクリップ装置の収納用キャビティとを含み、自撮り棒が収納される状態にある場合では、伸縮棒の可動端はハンドルケース本体の中に引っ込めると、伸縮棒に折りたたまれたクリップ装置はキャビティ内にある。本考案は、円筒状ケースで伸縮棒とクリップ装置を囲い込むことで、クリップ装置には突き出る処がないようにさせ、そうすると、自撮り棒は収納された時に、完全なチューブ状になって、コンパクト性に優れ、外観効果もかなり大きく改善され、ハンドバックやカバンに入れても傷つけることはなく、利便性とユーザ体験とも向上する。【選択図】図１
0003219247.tif 000002
【実用新案登録請求の範囲】
【請求項１】
一体型自撮り棒であって、長筒状のハンドルケース本体と、前記ハンドルケース本体の中に固定した伸縮棒と、前記伸縮棒に対して折りたためるクリップ装置と、伸縮棒の可動端とクリップ装置とを連結するための折り畳み装置と、ハンドルケース本体の内壁と伸縮棒の外壁との間に配置したクリップ装置の収納用キャビティとを含み、自撮り棒が収納される状態にある場合では、伸縮棒の可動端はハンドルケース本体の中に引っ込めると、前記伸縮棒に折りたたまれたクリップ装置はキャビティ内にある
ことを特徴とする一体型自撮り棒。
【請求項２】
前記ハンドルケース本体は、内部に伸縮棒が固定され、その内壁と伸縮棒の外壁との間にキャビティが形成した内部ケースと、前記内部ケースが内部に固定した透明な外部ケースとで構成される
ことを特徴とする請求項１に記載の一体型自撮り棒。
【請求項３】
前記ハンドルケース本体の外壁には、装飾リング、及び前記装飾リングの位置に応じて設置した、ボタンの取付け用溝が配置される
ことを特徴とする請求項１に記載の一体型自撮り棒。
【請求項４】
前記ハンドルケース本体には、自撮り棒が収納される状態にある時、ハンドルケース本体にかぶせる開閉回転可能や着脱可能な蓋が設置される
ことを特徴とする請求項１に記載の一体型自撮り棒。
【請求項５】
前記折りたたみ装置は、自撮り棒の伸縮棒の可動端を固定・連結するための、ピン軸が固定されたコネクタを含み、前記クリップ装置は、基板と、前記基板の下部に固定し、ピン軸を貫通するための連結円筒がその底面に設けた下挟み板とを含み、前記ピン軸とコネクタ本体との間には、クリップ装置がピン軸周りに回転する時、下挟み板が通過するためのチャンネルが設置される
ことを特徴とする請求項１に記載の一体型自撮り棒。
【請求項６】
前記クリップ装置はまた、基板の上部に設け、前記基板に対して移動可能な上挟みアームを含む
ことを特徴とする請求項５に記載の一体型自撮り棒。
【請求項７】
前記上挟みアームに設置した対称する両部分間に、折りたたむ時に伸縮棒を収納するための収納タンクを形成した
ことを特徴とする請求項６に記載の一体型自撮り棒。
【請求項８】
前記コネクタには、対称する二つの掛止部があり、チャンネルは、前記二つの掛止部と、前記掛止部を貫通するピン軸とコネクタ本体で囲い込んで形成された
ことを特徴とする請求項５に記載の一体型自撮り棒。
【請求項９】
前記ピン軸の一つの端面は正五角形を呈し、前記ピン軸の正五角形ヘッドをかぶせるための正五角形の貫通穴は掛止部に設けられる
ことを特徴とする請求項８に記載の一体型自撮り棒。
【請求項１０】
前記折りたたみ装置はまた、前端に外ねじ山が備えられ、後端がピン軸にかぶせたねじカラムと、内ねじ穴が螺設したねじチューブを含み、クリップ装置をロックした場合、ねじカラムの外ねじ山は、ねじチューブの内ネジ穴に連結され、前記ねじチューブの口は連結円筒の外壁に支えられ、連結チューブの内壁はねじチューブに押されて、ピン軸と圧着力が生じられることでロックする
ことを特徴とする請求項５から９の何れかに記載の一体型自撮り棒。
【請求項１１】
前記連結円筒は、ピン軸の軸方向に沿って、同じサイズの両部に分けられ、この両部間には、ねじカラムを貫通する、ねじカラムがピン軸を回って回転することを可能にする隙間が設置される
ことを特徴とする請求項１０に記載の一体型自撮り棒。
【考案の詳細な説明】
【技術分野】
【０００１】
本考案は、自撮りデバイス、特に一体型自撮り棒に関するものである。
【背景技術】
【０００２】
自撮り棒は、世界で人気の高い自分撮りの機器（セルフィースティック）として、２０ｃｍから１２０ｃｍまで長さが任意に伸縮でき、使用者は、スマホやデジカメを伸縮棒に固定するだけで、リモコンで多角度の自撮りを実現できるようにするものである。自撮り棒は、スマホやタブレットを挟持するためのクリップ装置と、その可動端にクリップ装置が固定された伸縮棒と、を備えるものが多いが、携帯性を高めるために、自撮り棒の使用していない時の体積削減が必要になったとともに、市場に折り畳み式の自撮り棒は登場した。普通、折り畳み式の自撮り棒がクリップ装置を伸縮棒に折りたたむような構造は、クリップ装置にまだ多くの突き出る処があるため、コンパクト性は不足で、外観効果も悪くなり、更に、折りたたんだ自撮り棒をハンドバックやカバンなどの収納用品に入れた時、クリップ装置の突き出た部分にハンドバックやカバンの内壁が傷つけられてしまい、利便性に欠け、ユーザ体験が低下することもある。
【考案の概要】
【考案が解決しようとする課題】
【０００３】
従来技術にある欠陥を克服するために、本考案は、コンパクト性の向上、外観の改善、及び利便性の向上を目指して、一体型自撮り棒を提供することを目的とする。
【課題を解決するための手段】
【０００４】
上記目的を達成するために、本考案は、以下の解決手段を採用する。  
【０００５】
一体型自撮り棒であって、長筒状のハンドルケース本体（ハンドルシェル）と、前記ハンドルケース本体の中に固定した伸縮棒と、前記伸縮棒に対して折りたためるクリップ装置と、伸縮棒の可動端とクリップ装置とを連結するための折り畳み装置と、ハンドルケース本体の内壁と伸縮棒の外壁との間に配置したクリップ装置の収納用キャビティとを含み、自撮り棒が収納される状態にある場合では、伸縮棒の可動端はハンドルケース本体の中に引っ込めると、前記伸縮棒に折りたたまれたクリップ装置はキャビティ内にある。
【０００６】
更に、ハンドルケース本体は、内部に伸縮棒が固定され、その内壁と伸縮棒の外壁との間にキャビティが形成した内部ケースと、前記内部ケースが内部に固定した透明な外部ケースとで構成される。
【０００７】
更に、ハンドルケース本体の外壁には、装飾リング、及び前記装飾リングの位置に応じて設置した、ボタンの取付け用溝が配置される。
【０００８】
更に、ハンドルケース本体には、自撮り棒が収納される状態にある時、ハンドルケース本体にかぶせる回転可能に開閉し、または着脱可能な蓋（トップカバー）が設置される。
【０００９】
更に、折りたたみ装置は、自撮り棒の伸縮棒の可動端を固定・連結するための、ピン軸が固定されたコネクタを含み、クリップ装置は、基板と、前記基板の下部に固定して、ピン軸を貫通するための連結円筒がその底面に設けた下挟み板とを含み、前記ピン軸とコネクタ本体との間には、クリップ装置がピン軸周りに回転する時、下挟み板が通過するためのチャンネルが設置される。
【００１０】
更に、クリップ装置はまた、基板の上部に設け、前記基板に対して移動可能な上挟みアームを含む。
【００１１】
更に、前記上挟みアームに設置した対称する両部分間に、折りたたむ時に伸縮棒を収納するための収納タンクが形成される。
【００１２】
更に、コネクタに対称する二つの掛止部があり、チャンネルは、前記二つの掛止部と、前記掛止部を貫通するピン軸とコネクタ本体で囲い込んで形成される。
【００１３】
更に、ピン軸の一つの端面は正五角形を呈し、前記ピン軸の正五角形ヘッドをかぶせるための正五角形の貫通穴は掛止部に設けられる。
【００１４】
更に、折りたたみ装置はまた、前端に外ねじ山が備え、後端がピン軸にかぶせたねじカラムと、内なじ穴が螺設したねじチューブを含み、クリップ装置をロックした場合、ねじカラムの外ねじ山は、ねじチューブの内ネジ穴に連結され、前記ねじチューブの口は連結円筒の外壁に支え、連結チューブの内壁はねじチューブに押されて、ピン軸と圧着力が生じられることでロックする。
【００１５】
更に、連結円筒は、ピン軸の軸方向に沿って、同じサイズの両部に分け、この両部間には、ねじカラムを貫通する、ねじカラムがピン軸を回って回転ことを可能にする隙間が設置される。
【００１６】
更に、基板の下部では、中間位置に、接続プラグを挿すためのソケットを設置した、という技術様態を採用する。
【００１７】
本考案は、従来技術と比べると、円筒状ケースで伸縮棒とクリップ装置を囲い込むことで、クリップ装置が突き出る処がないようにし、そうすると、自撮り棒は収納された時に、完全なチューブ状になって、コンパクト性に優れ、外観効果もかなり大きく改善され、ハンドバックやカバンに入れても傷つけることはなく、利便性とユーザ体験とも向上した、という有益効果を有している。
【図面の簡単な説明】
【００１８】
【図１】図１は自撮り棒の立体図である（伸縮棒が伸び、クリップ装置が展開した）。
【図２】図２は自撮り棒の断面図である。
【図３】図３は自撮り棒の分解図である。
【図４】図４はクリップ装置と折り畳み装置の組立立体図である（ねじカラム、ねじチューブを省略した）。
【図５】図５はクリップ装置と折り畳み装置の分解図である（ねじカラム、ねじチューブを省略した）。
【図６】図６はクリップ装置と折り畳み装置の組立立体図である。
【図７】図７はクリップ装置と折り畳み装置の分解図である。
【図８】図８はクリップ装置と折り畳み装置の組立断面図である。
【図９】図９は図８の部分的な拡大図である。
【図１０】図１０は伸縮棒、クリップ装置と折り畳み装置の組立立体図である。
【考案を実施するための形態】
【００１９】
以下、本考案の技術内容をより十分に理解するために、具体的実施形態を参照しながら、本考案に関する技術様態について、更なる紹介と説明を行う。
【００２０】
本考案の実施形態について、その具体的構造は図１から図１０に示されている。
【００２１】
図１から図３に示すように、本実施形態は、チューブ状のハンドルケース本体４０と、前記ハンドルケース本体４０の中に固定した伸縮棒３０と、伸縮棒３０に対して折りたためるクリップ装置１０と、伸縮棒３０の可動端とクリップ装置１０を連結するための折り畳み装置２０とを含むことを特徴とする自撮り棒である。
【００２２】
図１に示すように、本実施形態においては、前記ハンドルケース本体４０は長方形の横断面とするが、他の実施形態においては、前記ハンドルケース本体の横断面は円形、正多辺形などとしてもよい。図２に示すように、前記ハンドルケース本体４０は、その中に前記伸縮棒３０が固定した内部ケース４２と、前記内部ケース４２が中に固定した透明の外部ケース４１とを含む。図１と図２に示すように、ハンドルケース本体４０の外壁に装飾リング４４と、前記装飾リング４４の位置に応じて、ボタンの取付け用溝４１１を設けた（図２）。
【００２３】
図２に示すように、ハンドルケース本体４０は、内部ケース４２の内壁と伸縮棒３０の外壁との間に、クリップ装置１０を収納するキャビティ４３が備え、内部ケース４２の中にはまた、伸縮棒３０を固定する固定スリーブ４５を配置した。図１に示すように、自撮り棒が完全に展開された状態であれば、伸縮棒３０の可動端は伸び出し、クリップ装置１０は伸縮棒３０から回転して開く。自撮り棒を収納しようとする時には、まずクリップ装置１０を伸縮棒３０向きに折り畳み、その後、自撮り棒が完全な収納状態になるように、伸縮棒３０の可動端をハンドルケース本体４０の方に押し付け、この時、図２に示すように、クリップ装置１０は伸縮棒３０に折り畳まれ、伸縮棒３０の可動端はハンドルケース本体４０の中に引き込むと、クリップ装置１０はキャビティ４３の中に置いたようにする。
【００２４】
他の実施形態において、ハンドルケースに設置した回転開閉可能や着脱可能な蓋は、自撮り棒が完全に収納された場合、折りたたみ装置とクリップ装置を庇うように、ハンドルケースにかぶせることに対して、本実施形態では、図２と図３に示すように、折りたたみ装置２０に設置した上蓋２６は保護・防塵という効果を発揮した。
【００２５】
図４と図５に示すように、クリップ装置１０は基板１４、前記基板１４の下部に固定した下挟み板１２と、前記基板１４の上部に設置した上挟みアーム１３とを含み、上挟みアーム１３と下挟み板１２はスマホやタブレットなどの携帯式の撮影デバイスを挟持するのに用い、上挟みアーム１３は前記基板１４に対して移動可能であって、前記下挟み板１２との間隔を調節可能にさせることで、異なる幅の携帯式の撮影デバイスに適応することができる。ここで、前記下挟み板１２は前記基板１４に対して固定され、上挟みアーム１３は、基板１４に対して移動可能な具体的構造は従来技術に属するので、ここでは詳述しない。
【００２６】
自撮り棒はケーブルリモコンによって、撮影デバイスに対する制御を実現できるようにするためには、ケーブルとプラグが必要となり、前記ケーブルのプラグが任意に揺れないように、基板１４の下部の中央位置に、ケーブルのプラグを収納するためのソケット（スロット）１４１が、図４と図５に示すように配置される。
【００２７】
図４と図５に示すように、上挟みアーム１３に設置した対称する両部分間に、折りたたむ時に伸縮棒を収納するための収納タンク１３０を形成した。
【００２８】
図４と図５に示すように、折りたたみ装置２０は、伸縮棒の可動端を固定し、本体２４０と対称する二つの掛止部２４１を有するほか、前記二つの掛止部２４１を貫通するピン軸２５がその上に固定したコネクタ２４を含む。下挟み板１２の底面にピン軸２５を貫通させる連結円筒１１が配置され、前記コネクタ２４のピン軸２５とコネクタ２４の本体２４０との間に、クリップ装置１０がピン軸２５周りに回転する時に、下挟み板１２が通過するためのチャンネル２４３を設け、前記チャンネル２４３は、前記二つの掛止部２４１と、ピン軸２５とコネクタ２４本体２４０で囲い込んで形成される。クリップ装置１０が図４の方向Ｅに沿って、完全に折りたたまれるようにし（図１０に示すような上挟みアーム１３の収納タンク１３０が伸縮棒３０に掛けるように）、下挟み板１２はチャンネル２４３の中に置いたため、折りたたみ体積を大幅に軽減した。
【００２９】
ピン軸２５は軸方向の回転自由度がゼロであり、図４と図５に示すように、ピン軸２５の端面は正五角形を呈し、前記ピン軸２５の正五角形ヘッド２５１をかぶせるための正五角形の貫通穴２４２を、前記掛止部２４１に設けた。ピン軸２５のヘッド２５１が前記掛止部２４１の貫通穴２４２に挿し込んだ後、ピン軸２５は前記掛止部２４１に対して回転不能になる。もちろん、他の実施形態においては、ピン軸の両ヘッドは全部正五角形としてもよい。
【００３０】
図６と図７に示すように、本実施形態の折りたたみ装置２０はまた、ねじカラム２１と内なじ穴を有するねじチューブ２２を含む。
【００３１】
図６から図９に示すように、前端に外ねじ山が備え、後端がピン軸２５にかぶせたねじカラム２１は、ピン軸２５の中心軸周りに回転可能である。ねじチューブ２２の内ねじ穴と前記ねじカラム２１の外ねじ山とは、配合関係であり、即ち、ねじカラム２１の外ねじ山とねじチューブ２２の内ねじ穴とは、螺接関係とするため、ねじカラム２１はねじチューブ２２の内ねじ穴から螺入や螺出することができる。
【００３２】
図７と図９に示すように、ねじチューブ２２の外端にレバー２３を固定することを介して、ねじチューブ２２を捩じるやねじチューブ２２を引く時のユーザ体験の改善、それに外観効果の改善でも実現できるようにする。
【００３３】
図６と図７に示すように、クリップ装置１０の末端には、ピン軸２５を貫通するための連結円筒１１が配置され、前記連結円筒１１はピン軸２５の軸方向に沿って、同じサイズの両部に分け、この両部間にねじカラム２１が貫通して、ピン軸２５の中間軸周りに回転することを可能にする間隔１２が備えられる。
【００３４】
ロックとアンロック工程：
【００３５】
１）クリップ装置１０をロックする時、レバー２３をねじってねじチューブ２２を、前記ねじチューブ２２の口が連結円筒１１の外壁に支えるように、最大程度で時計回り（図６の方向Ａ）に螺入させ、この時、ねじチューブ２２に、連結円筒１１に対する推力が生成され（図９の方向Ｃ）、ねじカラム２１はそのままに固定したピン軸２５に引力を生成し（図９の方向Ｄ）、連結円筒１１の内壁とピン軸２５の外壁間に生じた圧着力は、クリップ装置１０を反転させるために、かなり大きな摩擦力を克服しないといけないようにし、クリップ装置１０はそれで、ロックされ、回転不能になる。
【００３６】
２）クリップ装置１０をアンロックする時、レバー２３をねじってねじチューブ２２を、反時計回りに螺出すると、連結円筒１１の内壁とピン軸２５の外壁との間における圧着力は小さくなり、両者間の摩擦力も次第に削減し、摩擦力がなくなった時まで、クリップ装置１０は完全にアンロックされたため、制限されなく、ピン軸２５周りに回転可能になる。
【００３７】
上記は、ユーザがよく理解するために、実施形態を通じて本考案の技術内容を詳細に説明したが、本考案の実施形態を制限することを意図しない。本考案に基づくいずれかの技術改良や再創作は、全部本考案の保護範囲に属するべきである。
【図１】
0003219247.tif 000003
【図２】
0003219247.tif 000004
【図３】
0003219247.tif 000005
【図４】
0003219247.tif 000006
【図５】
0003219247.tif 000007
【図６】
0003219247.tif 000008
【図７】
0003219247.tif 000009
【図８】
0003219247.tif 000010
【図９】
0003219247.tif 000011
【図１０】
0003219247.tif 000012